(57)【特許請求の範囲】
【請求項１】
コンクリート製のコンクリート構造物の所定箇所に設けられるひび割れ誘発目地構造であって、
前記コンクリート構造物に一体に設けられる、コンクリートに結晶増殖材を含有させてなるひび割れ修復コンクリートと、該ひび割れ修復コンクリートの表面に設けられるひび割れ誘発目地とを備えていることを特徴とするひび割れ誘発目地構造。
【請求項２】
前記ひび割れ誘発目地内に、結晶増殖材を含有するモルタルを充填してなることを特徴とする請求項１に記載のひび割れ誘発目地構造。
【請求項３】
前記ひび割れ誘発目地の表面に、結晶増殖材を塗布してなることを特徴とする請求項１又は２に記載のひび割れ誘発目地構造。
【発明の詳細な説明】
【０００１】
【発明の属する技術分野】
この発明は、コンクリート構造物におけるひび割れ誘発目地構造に関する。
【０００２】
【従来の技術】
鉄筋コンクリートや、その他のコンクリート部材からなるコンクリート製の構造物として、例えば、擁壁やボックスカルバート、底版壁や上版壁としての床版やスラブ、トンネルの内壁面を覆う覆工体等があるが、これらのコンクリート構造物は、コンクリート打設後の発熱に伴う温度応力や、乾燥収縮等を原因とするひび割れを生じやすい。
【０００３】
このようなひび割れは、耐久性や防水性、美観等を損なう虞があり、また、ひび割れから進入する水分等により鉄筋が腐食し、強度及び耐久性を低下させるなどの弊害を生じ易くするものであるため、かかるひび割れの発生を抑制することが望ましい。
【０００４】
このようなひび割れの発生を抑制する方法として、コンクリート構造物の表面に例えば「Ｖ」字形または「Ｕ」字形断面の切り溝からなる目地を設け、ここにひび割れを計画的に誘発させるようにした、いわゆるひび割れ誘発目地構造が知られている。そして、鉄筋の腐蝕や壁体の耐久性等の低下をもたらす各種の劣化因子、例えば塩素イオン、酸素、水等が、誘発されたひび割れを介して外部からコンクリート中に浸入するのを阻止するため、この部分に誘発されたひび割れは、通常、エポキシ樹脂等の止水性のある硬化剤等を用いて補修している。
【０００５】
このようなひび割れ誘発目地構造を有するコンクリート構造物として、図２に示すようなコンクリート擁壁がある。コンクリート擁壁はベース部１１と、ベース部１１から一体的に立ち上がる側壁部１２とからなる。側壁部１２は、例えば幅８０ｃｍ程度、高さ８ｍ程度の断面形状を有するとともに、横方向に相当の長さを有する。そのため、コンクリートの打設後の硬化発熱による温度応力や乾燥収縮によって表面に縦方向のひび割れが生じ易く、この側壁部１２には、５ｍ程度もしくは壁高の１〜２倍のピッチで、縦方向に延長する「Ｕ」字形断面のひび割れ誘発目地１３が、側壁部１２の両面に背向するように設けられている。
【０００６】
図３は、側壁部１２の断面図である。「Ｕ」字形断面の切り溝からなるひび割れ誘発目地１３が側壁部１２の両側に対向して設けられ、目地１３の底部には目地１３近傍に、より確実にひび割れを誘発させる目的で２枚の鉄板１４が壁面と垂直方向に埋設されている。また、外観を整えるため、各目地１３部分にはモルタル１５（またはシーリング材等）が充填されている。さらに、各目地１３の中間位置付近には、誘発されたひび割れを伝わって流れてくる水分を堰き止めるため、主鉄筋１６、配力鉄筋１７、および止水板押え鉄筋１８によって支持された止水板１９が埋設されている。
【０００７】
【発明が解決しようとする課題】
しかしながら、目地１３に誘発されたひび割れは微細である場合も多く、充分な量の硬化剤を注入できずに補修が不完全となり、構造物の耐久性を低下させる要因となっていた。また、止水板押さえ鉄筋１８や止水板１９の埋設作業は鉄筋組立て終了後に行うため、工期の長期化を招く一因となっていた。
【０００８】
本発明はこのような課題に着目してなされたもので、構造物の耐久性を充分に確保することができ、特別な工事を施すことなく充分な止水効果を得ることのできる画期的なひび割れ誘発目地構造を提供することを目的とする。
【０００９】
【課題を解決するための手段】
前記目的を達成するため、本発明の請求項１に係る発明は、コンクリート製のコンクリート構造物の所定箇所に設けられるひび割れ誘発目地構造であって、前記コンクリート構造物に一体に設けられる、コンクリートに結晶増殖材を含有させてなるひび割れ修復コンクリートと、該ひび割れ修復コンクリートの表面に設けられるひび割れ誘発目地とを備えていることを特徴とする。
本発明によるひび割れ誘発目地構造によれば、ひび割れ誘発目地に誘発されたびび割れは、ひび割れ修復コンクリートに含有されている結晶増殖材の作用によって不溶性の結晶が連鎖的に増殖することにより自動的に閉塞される。
【００１０】
また、本発明の請求項２に係る発明は、請求項１に記載のひび割れ誘発目地構造であって、前記ひび割れ誘発目地内に、結晶増殖材を含有するモルタルを充填してなることを特徴とする。
本発明によるひび割れ誘発目地構造によれば、ひび割れ誘発目地内のモルタルに含有されている結晶増殖材がひび割れ誘発目地の表面に供給されることにより、結晶増殖材の作用によって不溶性の結晶が連鎖的に増殖し、ひび割れ目地に誘発されたひび割れがひび割れ誘発目地の表面側からコンクリート構造物の内部に向かって自動的に閉塞される。
【００１１】
さらに、本発明の請求項３に係る発明は、請求項１又は２に記載のひび割れ誘発目地構造であって、前記ひび割れ誘発目地の表面に、結晶増殖材を塗布してなることを特徴とする。
本発明によるひび割れ誘発目地構造によれば、ひび割れ誘発目地の表面に塗布された結晶増殖材の作用によって不溶性の結晶が連鎖的に増殖し、ひび割れ誘発目地に誘発されたひび割れがひび割れ誘発目地の表面側からコンクリート構造物の内部に向かって自動的に閉塞される。
【００１３】
【発明の実施の形態】
図１は本発明の一実施例として示した、コンクリート製擁壁の側壁部１２の断面図である。側壁部１２内部には鉛直な方向に主鉄筋１６が、水平な方向に２本の配力鉄筋１７が埋設されている。目地１３の底部に位置するコンクリート上には、目地部分にひび割れをより確実に誘導するための２枚の鉄板１４が鉛直な方向に設置されている。
【００１４】
また、目地１３には外観を整えるためモルタル１５が充填されている。ただし、このモルタル１５（以下「ひび割れ修復モルタル」と記載）には特殊混和剤として結晶増殖材を混入させてある。さらに、この実施例では、目地１３の近傍（Ａで示される部分）に打設されるコンクリート（以下「ひび割れ修復コンクリート」と記載）には、前記モルタルと同様に特殊混和剤として結晶増殖材を混入させてある。ここで用いた結晶増殖材は、例えば特公平５−２７５９５号公報に示されるものであり、コンクリート中に含まれる水や水酸化カルシウム等と反応して不溶性のＣ−Ｓ−Ｈ系結晶やＭｇＳｉＯ3 結晶等の化合物を生成・増殖させ、これら化合物によりコンクリート中の毛細孔、空隙等を充填し緻密化する働きをもつものである。具体的にはＸＹＰＥＸ（商品名）等が知られている。
【００１５】
表１に単位量（ｋｇ／ｍ3 ）で表した「ひび割れ修復モルタル」および「ひび割れ修復コンクリート」の配合の一例を示す。
【００１６】
【表１】
0003899615.tif 000002
コンクリート打設後の発熱に伴う温度応力や、乾燥収縮等により目地１３にひび割れが誘発されると、目地１３の近傍に打設された「ひび割れ修復コンクリート」中に含まれる結晶増殖材および目地１３表面に塗布された結晶増殖材は不溶性のＣ−Ｓ−Ｈ系結晶やＭｇＳｉＯ3 結晶等を連鎖的に増殖し、誘発されたひび割れを閉塞していく。また、「ひび割れ修復モルタル」中にも結晶増殖材が含まれているため、モルタルから目地表面に結晶増殖材が供給され、結晶増殖材の作用により目地表面からも誘発されたひび割れが閉塞されることになる。このようにして、ひび割れに硬化剤を注入することなく塩素イオン、酸素、水等の劣化因子の浸入が阻止されるとともに、コンクリート中に止水板を設けることなく水等の浸入が阻止されることになる。そして、その結果、構造物の耐久性を向上させることができ、また、工事全体の作業効率を向上させることができる。
【００１７】
ところで、以上の実施例の説明では、「ひび割れ修復モルタル」と、「ひび割れ修復コンクリート」とを併用している場合を取り上げたが、もちろんこれらを併用する必要はなく、「ひび割れ修復コンクリート」のみ、もしくは、「ひび割れ修復モルタル」のみを選択的に使用してもよい。
【００１８】
また、結晶増殖材はコンクリート表面に塗布しただけでコンクリート内部に徐々に浸透し連鎖的に前述した結晶を増殖してコンクリート内部のひび割れを閉塞する作用を示すことが知られている。そこで、ひび割れ誘発目地表面に直接結晶増殖材を塗布しておけば、より効果的にひび割れを修復することができる。そして、前述した「ひび割れ修復モルタル」や「ひび割れ修復コンクリート」と併用すればより効果的である。
【００１９】
【発明の効果】
以上、説明したように、本発明の請求項１に記載のひび割れ誘発目地構造によれば、ひび割れ誘発目地に誘発されたびび割れは、ひび割れ修復コンクリートに含有されている結晶増殖材の作用によって不溶性の結晶が連鎖的に増殖することにより自動的に閉塞され、これにより、コンクリート構造物の内部の毛細孔、空隙等に不溶性の結晶が充填され、コンクリート構造物が緻密化されることになる。従って、コンクリート構造物の耐久性を充分に確保することができ、止水板を埋設する等の特別な工事を施すことなく、充分な止水性が得られることになる。
【００２０】
また、本発明の請求項２に記載のびび割れ誘発目地構造によれば、ひび割れ誘発目地内のモルタルに含有されている結晶増殖材がひび割れ誘発目地の表面に供給され、結晶増殖材の作用によって不溶性の結晶が連鎖的に増殖し、ひび割れ誘発目地に誘発されたひび割れがひび割れ誘発目地の表面側からコンクリート構造物の内部に向かって自動的に閉塞され、これにより、コンクリート構造物の内部の毛細孔、空隙等に不溶性の結晶が充填され、コンクリート構造物が緻密化されることになる。従って、コンクリート構造物の耐久性を充分に確保することができ、止水板を埋設する等の特別な工事を施すことなく、充分な止水性が得られることになる。
【００２１】
さらに、本発明の請求項３に記載のひび割れ誘発目地構造によれば、ひび割れ誘発目地の表面に塗布された結晶増殖材の作用によって不溶性の結晶が連鎖的に増殖し、ひび割れ誘発目地に誘発されたひび割れがひび割れ誘発目地の表面側からコンクリート構造物の内部に向かって自動的に閉塞され、これにより、コンクリート構造物の内部の毛細孔、空隙等に不溶性の結晶が充填され、コンクリート構造物が緻密化されることになる。従って、コンクリート構造物の耐久性を充分に確保することができ、止水板を埋設する等の特別な工事を施すことなく、充分な止水性が得られることになる。
【００２２】
そして、以上に説明したように、本発明によるひび割れ誘発目地構造であれば、構造物の耐久性を充分に確保することができ、特別な工事を施すことなく充分な止水効果を得ることができる。
【図面の簡単な説明】
【図１】本発明の一実施例によるコンクリート擁壁における側壁部の断面図である。
【図２】コンクリート擁壁の部分斜視図である。
【図３】従来のコンクリート擁壁における側壁部の断面図である。
【符号の説明】
１２  側壁部
１３  ひび割れ誘発目地
１５  モルタル
【図１】
0003899615.tif 000003
【図２】
0003899615.tif 000004
【図３】
0003899615.tif 000005